(57)【要約】【課題】  調光信号用の既設の信号線等の設備を、調光やオンオフ以外の制御に流用可能な放電灯点灯装置及び該放電灯点灯装置を用いた照明システムを提供する。【解決手段】  制御回路は、調光信号が所定の指令条件を満たすパターンで変化したことが認識されたときに、認識された指令条件に応じて累積点灯時間を初期値に戻したり、動作モードを切り換える。累積点灯時間を初期値に戻す制御や動作モードの切り換えの制御が調光信号を用いて行われるので、調光信号用の既設の信号線等の設備を流用することができる。【選択図】図１
2008243625.tif 000002
【特許請求の範囲】
【請求項１】
放電灯を点灯させる点灯部と、
外部から入力され放電灯の調光比を指示する調光信号を受信する受信部と、
点灯部によって点灯される放電灯の累積点灯時間を計時する計時部と、
計時部によって計時された累積点灯時間と受信部に受信された調光信号とに基づいて点灯部を制御する制御部と、
受信部に受信された調光信号が予め定められた所定の指令条件を満たすことを検出する指令検出部とを備え、
計時部は、調光信号が指令条件を満たすことが指令検出部で検出されたときに累積点灯時間を初期値に戻すことを特徴とする放電灯点灯装置。
【請求項２】
放電灯を点灯させる点灯部と、
外部から入力され放電灯の調光比を指示する調光信号を受信する受信部と、
点灯部によって点灯される放電灯の累積点灯時間を計時する計時部と、
複数個の動作モードのいずれかで点灯部を制御する制御部と、
受信部に受信された調光信号が動作モード毎に予め定められた所定の指令条件を満たすことを検出する指令検出部とを備え、
制御部は、
動作モードとして、計時部によって計時された累積点灯時間に基づいて累積点灯時間の経過に伴う光束の低下を補うように点灯部を制御する動作モードと、放電灯の光出力を受信部に受信された調光信号に応じた光出力とするように点灯部を制御する動作モードとを少なくとも有し、
調光信号がいずれかの動作モードに対応する指令条件を満たすことが指令検出部で検出されたときに動作モードを該指令条件に対応する動作モードに切り換えることを特徴とする放電灯点灯装置。
【請求項３】
点灯部から放電灯が取り外されている無負荷状態を検出する無負荷検出部を備え、
指令検出部は、無負荷検出部によって無負荷状態が検出されている期間にのみ動作することを特徴とする請求項１又は請求項２記載の放電灯点灯装置。
【請求項４】
それぞれ請求項１〜３のいずか一項に記載の放電灯点灯装置、及び、放電灯点灯装置が収納された器具本体を有する少なくとも１個の照明器具と、
各照明器具にそれぞれ調光信号を送信する調光装置とを備えることを特徴とする照明制御システム。
【請求項５】
調光装置は、それぞれ指令条件に対応付けられて使用者による操作入力を受け付ける少なくとも１個の指令スイッチを有し、いずれかの指令スイッチが操作されたときに該指令スイッチに対応付けられた指令条件を満たす調光信号を送信することを特徴とする請求項４記載の照明制御システム。
【発明の詳細な説明】
【技術分野】
【０００１】
本発明は、放電灯点灯装置及び該放電灯点灯装置を備えた照明器具を用いた照明システムに関するものである。
【背景技術】
【０００２】
従来から、累積点灯時間の経過に伴う経年変化や汚れなどの要因による放電灯の光束の低下を補って光束を略一定に維持するように、累積点灯時間の経過に伴って放電灯への供給電力を徐々に増加させる放電灯点灯装置が提供されている（例えば、特許文献１参照）。
【０００３】
ここで、上記のように累積点灯時間に応じた制御を行うためには、累積点灯時間を計時する計時部を設け、且つ、放電灯が新品に交換されたときには計時部における累積点灯時間を０に戻す（リセットする）必要がある。
【０００４】
累積点灯時間をリセットするタイミングとしては、従来は、放電灯の寿命が検出されたときに累積点灯時間をリセットしたり、使用者によって手動操作されるリセット操作部が操作されたときに累積点灯時間をリセットしたりしていた。
【特許文献１】特開２００１−１５２７６号公報
【発明の開示】
【発明が解決しようとする課題】
【０００５】
しかし、累積点灯時間のリセットを放電灯の寿命が検出されたときに行う場合には、放電灯の寿命が検出される前に放電灯が交換されたときに累積点灯時間がリセットされないという問題があった。
【０００６】
また、累積点灯時間のリセットをリセット操作部によって行う場合には、リセット操作部を放電灯点灯装置に設けるならばリセット操作部を構成する部品が別途に必要となり、リセット操作部を別体の装置に設けるならば該装置と放電灯点灯装置との通信のための信号線等の設備が別途に必要となるという問題があった。
【０００７】
本発明は、上記事由に鑑みて為されたものであり、その目的は、調光信号用の既設の信号線等の設備を、調光やオンオフ以外の制御に流用可能な放電灯点灯装置及び該放電灯点灯装置を用いた照明システムを提供することにある。
【課題を解決するための手段】
【０００８】
請求項１の発明は、放電灯を点灯させる点灯部と、外部から入力され放電灯の調光比を指示する調光信号を受信する受信部と、点灯部によって点灯される放電灯の累積点灯時間を計時する計時部と、計時部によって計時された累積点灯時間と受信部に受信された調光信号とに基づいて点灯部を制御する制御部と、受信部に受信された調光信号が予め定められた所定の指令条件を満たすことを検出する指令検出部とを備え、計時部は、調光信号が指令条件を満たすことが指令検出部で検出されたときに累積点灯時間を初期値に戻すことを特徴とする。
【０００９】
この発明によれば、調光信号用の既設の信号線等の設備を、累積点灯時間を初期値に戻す制御に流用することができる。
【００１０】
請求項２の発明は、放電灯を点灯させる点灯部と、外部から入力され放電灯の調光比を指示する調光信号を受信する受信部と、点灯部によって点灯される放電灯の累積点灯時間を計時する計時部と、複数個の動作モードのいずれかで点灯部を制御する制御部と、受信部に受信された調光信号が動作モード毎に予め定められた所定の指令条件を満たすことを検出する指令検出部とを備え、制御部は、動作モードとして、計時部によって計時された累積点灯時間に基づいて累積点灯時間の経過に伴う光束の低下を補うように点灯部を制御する動作モードと、放電灯の光出力を受信部に受信された調光信号に応じた光出力とするように点灯部を制御する動作モードとを少なくとも有し、調光信号がいずれかの動作モードに対応する指令条件を満たすことが指令検出部で検出されたときに動作モードを該指令条件に対応する動作モードに切り換えることを特徴とする。
【００１１】
この発明によれば、調光信号用の既設の信号線等の設備を、動作モードを切り換える制御に流用することができる。
【００１２】
請求項３の発明は、請求項１又は請求項２の発明において、点灯部から放電灯が取り外されている無負荷状態を検出する無負荷検出部を備え、指令検出部は、無負荷検出部によって無負荷状態が検出されている期間にのみ動作することを特徴とする。
【００１３】
この発明によれば、調光装置から複数の放電灯点灯装置に一斉に同じ調光信号が送信されている場合であっても、累積点灯時間を初期値に戻す制御や動作モードの切り換えの制御の対象としたい放電灯点灯装置の放電灯を取り外しておくことにより、任意の放電灯点灯装置を上記制御の対象とすることができる。
【００１４】
請求項４の発明は、それぞれ請求項１〜３のいずか一項に記載の放電灯点灯装置、及び、放電灯点灯装置が収納された器具本体を有する少なくとも１個の照明器具と、各照明器具にそれぞれ調光信号を送信する調光装置とを備えることを特徴とする。
【００１５】
請求項５の発明は、請求項４の発明において、調光装置は、それぞれ指令条件に対応付けられて使用者による操作入力を受け付ける少なくとも１個の指令スイッチを有し、いずれかの指令スイッチが操作されたときに該指令スイッチに対応付けられた指令条件を満たす調光信号を送信することを特徴とする。
【００１６】
この発明によれば、指令条件を満たす調光信号を調光装置から出力させるために一定の手順の操作や厳密な操作を要求される場合に比べ、指令条件を満たす調光信号を調光装置から出力させる操作が容易となる。
【発明の効果】
【００１７】
請求項１の発明によれば、計時部が、調光信号が所定の指令条件を満たすことが指令検出部で検出されたときに累積点灯時間を初期値に戻すので、調光信号用の既設の信号線等の設備を、累積点灯時間を初期値に戻す制御に流用することができる。
【００１８】
請求項２の発明によれば、制御部が、調光信号が複数の動作モードのいずれかに対応する指令条件を満たすことが指令検出部で検出されたときに動作モードを該指令条件に対応する動作モードに切り換えるので、調光信号用の既設の信号線等の設備を、動作モードを切り換える制御に流用することができる。
【００１９】
請求項３の発明によれば、指令検出部が、無負荷検出部によって無負荷状態が検出されている期間にのみ動作するので、調光装置から複数の放電灯点灯装置に一斉に同じ調光信号が送信されている場合であっても、累積点灯時間を初期値に戻す制御や動作モードの切り換えの制御の対象としたい放電灯点灯装置の放電灯を取り外しておくことにより、任意の放電灯点灯装置を上記制御の対象とすることができる。
【００２０】
請求項５の発明によれば、調光装置が、使用者による操作入力を受け付ける指令スイッチを有し、指令スイッチが操作されたときに指令条件を満たす調光信号を送信するので、調光装置から指令条件を満たす調光信号を出力させるために一定の手順の操作や厳密な操作を要求される場合に比べ、調光装置において指令条件を満たす調光信号を出力させる操作が容易となる。
【発明を実施するための最良の形態】
【００２１】
以下、本発明を実施するための最良の形態について、図面を参照しながら説明する。
【００２２】
本実施形態の放電灯点灯装置１は、図２に示すように、放電灯Ｌａに交流電力を供給して点灯させる点灯回路２と、点灯回路２の出力の周波数を制御することにより放電灯Ｌａの光出力を制御する制御回路３と、外部から入力されて放電灯Ｌａの調光比を指示する調光信号を受信する受信回路４とを備える。
【００２３】
点灯回路２は、商用電源ＡＣの交流電圧を整流平滑して直流電圧に変換する整流平滑回路２１と、整流平滑回路２１の出力電圧を昇圧する昇圧チョッパ回路２２と、昇圧チョッパ回路２２が出力した直流電圧を交流電圧に変換して放電灯Ｌａに供給するインバータ回路２３とを備える。インバータ回路２３は、昇圧チョッパ回路２２の出力端間に接続された２個の例えば電界効果トランジスタからなるスイッチング素子Ｑ１，Ｑ２の直列回路と、スイッチング素子Ｑ１，Ｑ２の接続点と放電灯Ｌａの一方のフィラメントの一端との間に接続された共振兼限流用のインダクタＬ１と直流カット用のコンデンサＣ１との直列回路と、スイッチング素子Ｑ１，Ｑ２を交互にオンオフする駆動部２３ａとを備える。放電灯Ｌａの他方のフィラメントの一端は昇圧チョッパ回路２２の低電圧側の出力端に接続され、放電灯Ｌａのフィラメントの他端間には予熱兼共振用のコンデンサＣ２が接続されている。つまり、インバータ回路２３は周知のハーフブリッジ形の回路である。
【００２４】
制御回路３は、例えばマイコンからなり駆動部２３ａがスイッチング素子Ｑ１，Ｑ２をオンオフする周波数（以下、「動作周波数」と呼ぶ。）を制御することにより放電灯Ｌａの光出力を制御する制御ユニット３１と、例えばＥＥＰＲＯＭのような不揮発性メモリからなり累積点灯時間が格納される記憶部３２とを備える。具体的には、制御ユニット３１は、放電灯Ｌａに供給される電力の定格電力に対する比（以下、「調光比」と呼ぶ。）に応じたデューティ比のＰＷＭ信号を駆動部２３ａに入力しており、駆動部２３ａは、入力されたＰＷＭ信号のデューティ比に応じた動作周波数でスイッチング素子Ｑ１，Ｑ２を交互にオンオフする。動作周波数は、コンデンサＣ１，Ｃ２とインダクタＬ１と放電灯Ｌａとで構成される共振回路の共振周波数（以下、単に「共振周波数」と呼ぶ。）よりも高い範囲内で制御されており、動作周波数が共振周波数に近くなるほど放電灯Ｌａに供給される電力が増加する。
【００２５】
また、制御ユニット３１はタイマ回路を含んでおり、放電灯Ｌａの点灯時間を計時するとともに、記憶部３２に格納された累積点灯時間を適宜更新する。つまり、本実施形態の制御回路３は請求項における計時部でもある。点灯時間の計時を開始するタイミングは、放電灯Ｌａの予熱が開始されたタイミングであってもよいし、放電灯Ｌａの点灯が安定したタイミングであってもよい。本実施形態では一般的なマイコンが有するタイマ回路を用いるので、タイマを別途に設ける場合に比べて部品点数が減少している。
【００２６】
制御ユニット３１は、調光信号によらず累積点灯時間のみに応じて放電灯Ｌａへの供給電力を制御する初期照度補正モードと、累積点灯時間によらず調光信号のみに応じて放電灯Ｌａへの供給電力を制御する外部調光モードと、調光信号に応じて放電灯Ｌａへの供給電力を制御するが放電灯Ｌａへの供給電力の上限を累積点灯時間に応じた電力とする併用モードとの３通りの動作モードの切り換えが可能となっている。
【００２７】
ここで、放電灯Ｌａを定格点灯した場合において、新品時の光束に対する光束の比（以下、「光出力」と呼ぶ。）は、図３の上側のグラフに示すように累積点灯時間の経過に伴って単調減少する。本実施形態の制御ユニット３１は、初期照度補正モードでは、図３の下側のグラフ及び図４に示すように、累積点灯時間の経過に伴って調光比を徐々に増加させることにより、上記の光出力の低下を補い、略一定の光出力を維持する。例えば、累積点灯時間が初期値である０のときの調光比を７０％とし、定格点灯時の光出力が７０％となる所定の累積点灯時間（図では１２０００時間）で調光比が１００％となるように、累積点灯時間の経過に伴って徐々に調光比を上昇させることにより、上記所定の累積点灯時間まで光出力を略一定に保つ。累積点灯時間から調光比を得るに当っては、データテーブルを用いてもよいし、計算式を用いてもよい。また、併用モードでは、調光比の上限値（以下、「調光上限値」と呼ぶ。）を上記の初期照度補正モードでの調光比とし、調光上限値を上回る調光比を指示する調光信号が入力された場合には、調光比を調光上限値とする。つまり、調光上限値が１００％となる上記所定の累積点灯時間（図では１２０００時間）以後は、併用モードの動作は外部調光モードの動作と同様となる。
【００２８】
受信回路４は、例えば２線式の信号線ＳＬを介して調光装置５に接続されるものであって、図５に示すように、調光信号の極性をなくすために設けられて信号線ＳＬが接続されるダイオードブリッジＤＢと、ダイオードブリッジＤＢの出力端に抵抗Ｒ１，Ｒ２と保護用のツェナーダイオードＺＤとを介して入力端が接続されたフォトカプラＰＣとを備える。また、受信回路４は、定電圧ＶＤを分圧する分圧抵抗Ｒ３，Ｒ４と、低電圧側の分圧抵抗Ｒ４の両端間に接続されたコンデンサＣ１とを有し、分圧抵抗Ｒ３，Ｒ４の接続点の電圧がコンデンサＣ１によって平滑されて制御回路３の制御ユニット３１に入力されるようになっている。フォトカプラＰＣの出力端は、低電圧側の分圧抵抗Ｒ４の両端間に接続されている。調光信号は指示する調光比に応じたデューティ比のＰＷＭ信号であって、調光信号のデューティ比（オンデューティ）が高いほど低いアナログ電圧信号が受信回路４から制御回路３に入力される。制御回路３の制御ユニット３１はＡ／Ｄ変換回路を含んでおり、このＡ／Ｄ変換回路によって上記アナログ電圧をＡ／Ｄ変換して読み込む。
【００２９】
調光装置５は、図６に示すように、例えばスライド型の可変抵抗器からなるフェーダ５１ａと、例えばディップスイッチからなる調光信号入切スイッチ５１ｂと、調光信号入切スイッチ５１ｂがオフされているときには調光信号のデューティ比を０％とする（つまり、調光信号を出力しない）一方、調光信号入切スイッチ５１ｂがオンされているときにはフェーダ５１ａのツマミの位置に応じたデューティ比の調光信号を出力する調光信号生成部５２と、それぞれ信号線ＳＬが接続される一対の出力端子５３ａ，５３ｂとを有する。一方の出力端子５３ｂはグランドに接続され、調光信号生成部５２は他方の出力端子５３ａに接続されている。
【００３０】
調光信号のデューティ比と指示する調光比との関係としては、例えば図７に示すように、０％〜５％のデューティ比が１００％の調光比に対応付けられ、８５％〜９５％のデューティ比が調光比の下限である２５％の調光比に対応付けられ、５％〜８５％のデューティ比が１００％〜２５％の調光比に直線的に対応付けられ、９５％〜１００％のデューティ比が消灯に対応付けられている。つまり、制御ユニット３１は、外部調光モードや併用モードでの動作中は、デューティ比が９５％未満の調光信号が受信回路４に入力されると、調光比を該デューティ比に対応する調光比（ただし併用モードにおいては調光上限値以下の調光比）とし、デューティ比が９５％以上の調光信号が受信回路４に入力されると、駆動部２３ａの動作を停止させて放電灯Ｌａを消灯させる。なお、初期照度補正モードでは、デューティ比が９５％以上の調光信号が受信回路４に入力されても、放電灯Ｌａの消灯は行わない（図４参照）。
【００３１】
また、制御ユニット３１は、累積点灯時間のリセットや、各動作モードの切り換えを、それぞれ対応する一定の指令条件を満たすような変化をする調光信号が入力されたときに行う。つまり、本実施形態の制御ユニット３１は、指令検出部でもある。
【００３２】
詳しく説明すると、制御ユニット３１は、図１に示すように、調光信号のデューティ比が、０％から、累積点灯時間を初期値である０に戻す（リセットする）制御や動作モードを切り換える制御といった制御毎に予め定められたデューティ比（図１に示す累積点灯時間のリセットにおいては１００％。以下、「特定デューティ比」と呼ぶ。）に切り換えられたときに、その制御のための操作（図１の例では累積点灯時間のリセットのための操作）を受け付ける操作受付状態となり、操作時間の計時を開始する。そして、操作時間が所定の制限時間（図では５秒）未満であるとき、つまり調光信号が特定デューティ比に切り換えられてから制限時間未満で、調光信号のデューティ比が再度０％に切り換えられると、制御ユニット３１が有するＲＡＭに格納された操作カウント数に１を加算するとともに、操作時間をリセットして０から再び計時する。その後同様にして、前回に調光信号のデューティ比が０％と特定デューティ比との一方に切り換えられてから制限時間以内に調光信号のデューティ比が０％と特定デューティ比との他方に切り換えられると、操作カウント数が２以下であれば操作カウント数に１を加算する。また、操作カウント数が３の状態で上記のような調光信号の切り換え（すなわち、調光信号のデューティ比を０％から特定デューティ比にする切り換え）が行われると、操作カウント数及び操作時間をそれぞれ０に戻して操作受付状態を終了するとともに、操作が受け付けられていた制御を実行する（図１の例では、累積点灯時間をリセットする）。また、上記のような調光信号のデューティ比の切り換えが発生しないまま、操作時間が制限時間に達すると、制御ユニット３１は、図８に示すように、操作が受け付けられていた制御を実行することなく、操作カウント数及び操作時間をそれぞれ０に戻した上で操作受付状態を終了する。
【００３３】
上記のような調光信号を出力させるために、調光装置５に対して行う操作としては、まず調光信号のデューティ比を０％にする操作を行い、次に、調光信号のデューティ比を特定デューティ比にする操作を行ってから制限時間以内に調光信号のデューティ比を０％とする操作を行うという手順を制限時間以内の間隔で２回繰り返し、２回目の上記手順の後、制限時間以内に調光信号のデューティ比を特定デューティ比とする操作を行えばよいことになる。この際、フェーダ５１ａの操作のみを行ってもよいし、フェーダ５１ａのツマミの位置を特定デューティ比に対応する位置とした状態で調光信号オンオフスイッチ５１ｂの操作又は調光装置５の電源のオンオフを行ってもよい。
【００３４】
本実施形態では、初期照度補正モードへの切換操作用の特定デューティ比を８０％とし、外部調光モードへの切換操作用の特定デューティ比を６０％とし、併用モードへの切換操作用の特定デューティ比を図９に示すように４０％としている。
【００３５】
上記構成によれば、既設の信号線ＳＬや調光装置５といった設備を遠隔制御による累積点灯時間のリセットや動作モードの切り換えといった調光以外の制御のために流用することができる。
【００３６】
また、調光信号のデューティ比が所定のパターンで変化したときに累積点灯時間のリセットや動作モードの切り換えを行うので、調光信号のデューティ比に、累積点灯時間のリセットや動作モードの切り換えのための範囲を占有させる必要がない。
【００３７】
本実施形態の放電灯点灯装置１は、図１０に示すように、放電灯点灯装置１に電気的に接続されるとともに放電灯Ｌａに電気的且つ機械的に接続されるソケット６１と、放電灯点灯装置１を収納するとともにソケット６１を保持した器具本体６２とを備える照明器具６に用いることができる。図１０の例において器具本体６２の下面は例えば白色であって放電灯Ｌａの光を配光する。本実施形態では、累積点灯時間のリセットの指示が調光信号により行われるので、照明器具６の器具本体６２として、初期照度補正を行わない従来品のものを、累積点灯時間のリセット用のスイッチ等を追加するための加工を行うことなく流用することができる。また、上記のように放電灯点灯装置１を用いた照明器具６は、複数個を調光装置５とともに用いて照明システムを構成することができる。
【００３８】
なお、調光装置５において、図１１に示すように累積点灯時間をリセットするための指令スイッチ５１ｃを設けたり、図１２に示すように各動作モードに対して１個ずつ設けられて動作モードを切り換えるための指令スイッチ５１ｄ〜５１ｆを設けてもよい。すなわち、上記の指令スイッチ５１ｃ〜５１ｆが使用者によって操作されると、調光信号生成部５２は、フェーダ５１ａのツマミの位置に関わらず、デューティ比が０％の調光信号を１秒間にわたり出力した後で上記操作された指令スイッチ５１ｃ〜５１ｆに対応した特定デューティ比の調光信号を１秒間にわたり出力するという動作を２回繰り返す。この構成を採用すれば、指令スイッチ５１ｄ〜５１ｆを操作するだけで、累積点灯時間のリセットや動作モードの切り換えを行うことができ、操作が容易となる。
【００３９】
また、既に述べたように、本実施形態では調光信号のデューティ比９５％〜１００％が調光比に対応付けられていないので、調光信号のデューティ比が上記範囲であることを指令条件として用いることも考えられる。例えば、図１３に示すように、制御ユニット３２が、デューティ比が９５％以上９７％未満の調光信号が入力されたときには外部調光モードに切り換え、デューティ比が９７％以上９９％未満の調光信号が入力されたときには併用モードに切り換え、デューティ比が９９％以上の調光信号が入力されたときには初期照度補正モードに切り換えるようにしてもよい。デューティ比９５％〜１００％の調光信号は放電灯Ｌａの消灯を指示するものでもあるので、上記の場合、動作モードの切り換えとともに放電灯Ｌａは消灯されることになる。この構成を採用すれば、所定の手順での調光信号の切り換えによって動作モードを切り換える場合に比べ、動作モードの切り換えにかかる時間が短縮される。さらに、この場合、図１１に示したような累積点灯時間のリセット用の指令スイッチ５１ｃと図１２に示したような動作モード切換用の指令スイッチ５１ｄ〜５１ｆとを設けるとともに、フェーダ５１ａでは上記９５％〜１００％の範囲のデューティ比が指定できないようにツマミの可動範囲や回路を構成し、指令スイッチ５１ｄ〜５１ｆが操作されたときにのみ、操作された指令スイッチ５１ｄ〜５１ｆに対応するデューティ比９５％〜１００％の調光信号が出力されるようにすることにより、フェーダ５１ａの誤操作による動作モードの切り換えを防止してもよい。
【００４０】
ここで、図１４に示すように、複数個の放電灯点灯装置１をそれぞれ調光装置５に接続した場合、調光装置５の調光信号は全ての放電灯点灯装置１に送信されることになり、上記の構成では１個の放電灯点灯装置１でのみ累積点灯時間をリセットするということができない。そこで、図１５に示すように、放電灯Ｌａが取り外されている無負荷状態を検出する無負荷検出回路７１，７２を設けるとともに、無負荷検出回路７によって無負荷状態が検出されている期間のみ、制御ユニット３１が調光信号による累積点灯時間のリセットの指示を受け付けるようにしてもよい。つまり、無負荷検出回路７１，７２によって無負荷状態が検出されていない期間は、調光信号のデューティ比が０％から１００％に切り替わっても、操作受付状態とならないようにする。このような無負荷検出回路７１，７２は周知技術で実現可能であるから、詳細な説明並びに図示は省略する。この構成を採用すれば、累積点灯時間をリセットしたい放電灯点灯装置１においてのみ放電灯Ｌａを取り外しておけば、任意の放電灯点灯装置１でのみ選択的に累積点灯時間をリセットすることができる。
【００４１】
また、駆動部２３ａがアナログ電圧信号を受け付けるものである場合には、図１６に示すように、制御ユニット３１から出力されるＰＷＭ信号を平滑して該ＰＷＭ信号のデューティ比に応じた電圧値のアナログ電圧信号を駆動部２３ａに入力する平滑部３３を設けてもよい。
【００４２】
さらに、制御ユニット３１の構成によっては、受信回路４を省略し、調光信号を制御ユニット３１に直接入力してもよい。この場合、制御ユニット３１が請求項における受信部を兼ねることになる。
【００４３】
さらに、動作モードの切り換えを省略し、動作モードを例えば併用モードのみや初期照度補正モードのみとしてもよい。ここで、動作モードを初期照度補正モードのみとして調光信号を調光比の制御に用いない場合であっても、既設の信号線ＳＬや調光装置５を遠隔制御による累積点灯時間のリセットのために流用することができ、照明器具の器具本体も、初期照度補正を行わない従来品のものを、累積点灯時間のリセット用のスイッチ等を追加するための加工を行うことなく流用することができるという利点がある。
【図面の簡単な説明】
【００４４】
【図１】本実施形態において累積点灯時間がリセットされる場合の動作を示す説明図である。
【図２】同上を示す回路ブロック図である。
【図３】同上において放電灯の累積点灯時間と光出力及び初期照度補正モードにおける調光比との関係を示す説明図である。
【図４】同上の動作を示す説明図である。
【図５】同上の受信回路を示す回路図である。
【図６】同上の調光装置を示すブロック図である。
【図７】同上における調光信号のデューティ比と調光比との関係を示す説明図である。
【図８】同上において累積点灯時間がリセットされない場合の動作を示す説明図である。
【図９】同上において動作モードが併用モードに切り換えられる場合の動作を示す説明図である。
【図１０】同上を用いた照明器具の一例を示す正面図である。
【図１１】同上の別の形態における調光装置を示すブロック図である。
【図１２】同上の更に別の形態における調光装置を示すブロック図である。
【図１３】同上の別の形態の動作を示す説明図である。
【図１４】同上の使用形態の一例を示すブロック図である。
【図１５】同上の更に別の形態を示す回路ブロック図である。
【図１６】同上の別の形態を示す回路ブロック図である。
【符号の説明】
【００４５】
１  放電灯点灯装置
２  点灯回路
３  制御回路
４  受信回路
５  調光装置
５１ｃ〜５１ｆ  指令スイッチ
６１  ソケット
６２  器具本体
７１，７２  無負荷検出回路
【図１】
2008243625.tif 000003
【図２】
2008243625.tif 000004
【図３】
2008243625.tif 000005
【図４】
2008243625.tif 000006
【図５】
2008243625.tif 000007
【図６】
2008243625.tif 000008
【図７】
2008243625.tif 000009
【図８】
2008243625.tif 000010
【図９】
2008243625.tif 000011
【図１０】
2008243625.tif 000012
【図１１】
2008243625.tif 000013
【図１２】
2008243625.tif 000014
【図１３】
2008243625.tif 000015
【図１４】
2008243625.tif 000016
【図１５】
2008243625.tif 000017
【図１６】
2008243625.tif 000018